(57)【要約】【課題】本発明は、使用デューティの低いカラー画像形成は必要なときにのみ行い、カラー画像形成を使用しないときには該カラー画像形成プロセスを完全に停止した状態で通常使用色（例えば黒色）のみの印刷稼動ができるようにした電子写真式印刷装置を提供することを課題とする。【解決手段】本発明は、３個のタンデム型画像形成手段のうち、中央に常時使用色となる画像形成手段を配置し、両側の画像形成手段は必要の無いときには停止しておけるようにしたことを特徴とする。【選択図】  図１
2005017880.tif 000002
【特許請求の範囲】
【請求項１】
画像形成手段としての帯電手段、露光手段、及び現像手段、画像形成媒体として感光体状ＯＰＣ感光体、及び転写手段を有し、前記画像形成手段は、３つの画像形成手段が直列に並んだタンデム型をなし、前記画像形成手段全てにまたがる長さで張設された継ぎ目無しの薄膜円筒型誘電体搬送ベルトを有し、紙等の記録媒体を前記搬送ベルトの表面に静電吸着搬送し、前記各画像形成手段には前記ＯＰＣ感光体に対向したそれぞれの転写手段が該ＯＰＣ感光体に対してそれぞれ独立して接近した印刷位置と離反した後退位置に移動可能に設けられ、前記転写手段は前記搬送ベルトを前記ＯＰＣ感光体との間に挟んで設けられ、前記転写手段が印刷位置へと変位した際に、前記ＯＰＣ感光体表面に対して距離をおいて張設された前記搬送ベルトを、前記ＯＰＣ感光体面へと移動させ接触状態と出来るように構成した電子写真式印刷装置において、前記画像形成手段は、中央の画像形成手段を常時使用色となし、左右両側の画像形成手段には間欠使用色を配置したことを特徴とする電子写真式印刷装置。
【請求項２】
前記中央の画像形成手段は、印刷動作を行っている間は該中央の画像形成手段に設けられた転写手段が印刷位置にあり、前記搬送ベルトを前記ＯＰＣ感光体に接触させて画像形成プロセスを行うことを特徴とする請求項１項記載の電子写真式印刷装置。
【請求項３】
前記左右両側の画像形成手段は、印刷動作中であっても、該画像形成手段の色が使用されない画像形成モードの時には該画像形成手段に設けられた転写手段は後退位置に定位し、前記搬送ベルトと前記ＯＰＣ感光体が非接触の状態を保ち、前記画像形成手段の画像形成プロセスは完全に停止していることを特徴とする請求項１項記載の電子写真式印刷装置。
【発明の詳細な説明】
【０００１】
【発明の属する技術分野】
本発明は、タンデム型画像形成手段をもつ電子写真式印刷装置に関するものである。
【０００２】
【従来の技術】
画像形成手段をタンデム型に配置した従来型電子写真式印刷装置では、通常使用色は中央には配置されておらず、この構成で搬送ベルトをいずれかのＯＰＣ感光体に接触させた場合、所望する以外のＯＰＣ感光体に対しても搬送ベルトが接触または、近接状態となる（例えば、特許文献１参照。）。
【特許文献１】
特公平６−５２４４６号公報
【０００３】
【発明が解決しようとする課題】
そのため、所望する以外のＯＰＣ感光体を印刷動作中に停止させたときには画像記録媒体上の未定着画像は、停止しているＯＰＣ感光体の表面に引きずられて欠損してしまう問題が出る。このため、例えばジョブがモノクロの画像のみで、カラーの現像が本来不要であるにもかかわらずカラーの画像形成手段も同時に起動運転させなければならず、その分ＯＰＣ感光体、トナー、現像剤といった消耗品を不要に消費してしまい、印刷コストがかさむという問題があった。
【０００４】
本発明は、使用デューティの低いカラー画像形成は必要なときにのみ行い、カラー画像形成を使用しないときには該カラー画像形成プロセスを完全に停止した状態で通常使用色（例えば黒色）のみの印刷稼動ができるようにした電子写真式印刷装置を提供することを目的とする。
【０００５】
【課題を解決するための手段】
上記目的は、３個のタンデム型画像形成手段のうち、中央の画像形成手段を常時使用色となし、左右両側の画像形成手段には間欠使用色を配置することによって達成される。
【０００６】
【発明の実施の形態】
以下本発明を、具体的な実施例について図面を用いて説明する。
【０００７】
図１に本発明の全体図を示す。電子写真式印刷装置１の中に画像形成手段をそれぞれ搬送ベルト走行上流側から第１画像形成手段２、第２画像形成手段３、第３画像形成手段４として配置する。それぞれの画像形成手段には帯電手段５、露光手段６、現像手段７、ＯＰＣ感光体８が設けられ、画像形成手段２〜４にはそれぞれのＯＰＣ感光体８に対向して転写手段１０が設けられている。転写手段１０は搬送ベルト９をＯＰＣ感光体８の間に配置し、可動手段１１によりＯＰＣ感光体に対して近接／後退し、可動手段１１が転写手段１０をＯＰＣ感光体８に近接させた時に搬送ベルト９をＯＰＣ感光体８へと密着させる。
【０００８】
転写手段１０と可動手段１１を図２に示す。転写手段１０はコロトロン転写方式の例で、シールドプレート１０ａ及び、コロトロンワイヤ１０ｂを有しており、ＯＰＣ感光体８に搬送ベルト９を接触させる目的でニップローラ１０ｃがローラ軸に回動自在に設けられている。可動手段１１は偏心カム方式の例を示し、偏心カム１１ｂはカム軸１１ａに回動自在に設けられる。図３とズ４は可動手段１１が転写手段１０をＯＰＣ感光体８に対して接近（以下印刷位置という）／後退（以下後退位置という）に変位させる動作を示す図である。図３が後退位置、図４が印刷位置である。偏心カム１１ｂがカム軸１１ａを中心に回動することにより変位させている。図５と図６は本発明による電子写真式印刷装置が印刷動作している様子を示す略図で、図５は該タンデム３ＥＰのうち常時使用する第２画像形成手段３（例えば黒色）のみが印刷動作している図である。第２画像形成手段３が起動している時、第３画像形成手段４の転写手段１０及び、可動手段１１が後退位置にありＯＰＣ感光体８と搬送ベルトと９との間で十分な間隙が確保されているため、第３画像形成手段４に設けられたＯＰＣ感光体８が停止していても画像記録媒体１２が通過する際に、画像記録媒体１２上の未定着画像７ａを引きずってしまうことがない様子を示す図である。図６は画像形成手段のうち常時使用する第２画像形成手段３（例えば黒色）及び、第１画像形成手段２（例えば赤等のカラー）が動作している図である。前述同様に第３画像形成手段４においてＯＰＣ感光体８と搬送ベルト９との間で間隙が確保されており、画像記録媒体１２上の未定着画像７ａを第３画像形成手段４のＯＰＣ感光体８（停止している）で引きずってしまうことがない様子を示している。ところで、第３画像形成手段４が印刷に使用されている場合は第３画像形成手段４のＯＰＣ感光体８も回転しており、画像記録媒体１２上の未定着画像７ａを引きずってしまう問題は無い。ＯＰＣ感光体８と搬送ベルト９との間の間隙が確保されるため、搬送ベルトに静電吸着している画像記録媒体は搬送ベルト９と感光体８の間隙を未定着画像７ａが欠損することなく走行可能であり、両側２色のＯＰＣ感光体（関連画像形成手段を含む）を任意に停止させておくことが出来る。
【０００９】
【発明の効果】
以上に説明したように本発明によれば、簡単な構成で使用デューティの低い第１画像形成手段及び、第３画像形成手段を必要なときにのみ起動すれば済むので、ＯＰＣ感光体、トナー、現像剤等の画像形成に直接絡む消耗品及び、電力、フィルター等の電子写真式に絡む消耗品の不要な消費が抑えられ、従来よりも印刷コストの低いカラー印刷が提供できる。
【図面の簡単な説明】
【図１】本発明の実施例の全体を示す図。
【図２】本発明の実施例における転写手段と可動手段を示す図。
【図３】本発明の実施例にいて転写手段がＯＰＣ感光体に対して後退位置にある状態を示す図。
【図４】本発明の実施例において転写手段がＯＰＣ感光体に対して印刷位置にある状態を示す図。
【図５】本発明の実施例において常時使用する第２画像形成手段（例えば黒色）のみが印刷動作している様子を説明する図。
【図６】本発明の実施例において常時使用する第２画像形成手段（例えば黒色）及び、第１画像形成手段（例えば赤等のカラー）が動作している様子を説明する図。
【符号の説明】
１は電子写真式印刷装置、２は第１画像形成手段、３は第２画像形成手段、４は第３画像形成手段、５は帯電手段、６は露光手段、７は現像手段、７ａは現像手段７による静電顕像、８はＯＰＣ感光体、９は搬送ベルト、１０は転写手段、１０ａはシールド板、１０ｂはコロトロンワイヤ、１１は可動手段である。
【図１】
2005017880.tif 000003
【図２】
2005017880.tif 000004
【図３】
2005017880.tif 000005
【図４】
2005017880.tif 000006
【図５】
2005017880.tif 000007
【図６】
2005017880.tif 000008